(57)【要約】【課題】ワンセグ放送を拡大表示した場合に、映像内の任意の文字画像について読み取りを補助すること。【解決手段】アンテナ１１で受信したワンセグテレビ放送をデコードした後、拡大処理部１６が表示部１８のディスプレイサイズに合わせて拡大し、表示用メモリ１７に格納する。画像認識部２０は、認識対象領域設定部２１が設定した認識対象領域内に存在する文字画像について、文字認識部２２による文字認識を実行し、表示書き換え部２３が認識結果に基づいて表示用メモリを書き換えることで、拡大ワンセグ映像の文字の視認性を向上する。【選択図】        図１
2009211393.tif 000002
【特許請求の範囲】
【請求項１】
デジタルテレビ放送を受信する受信手段と、
前記デジタルテレビ放送の映像を拡大する拡大処理手段と、
前記拡大された映像内に存在する文字画像について、文字認識を行なう文字認識手段と、
前記文字認識の認識結果に基づいて前記文字画像を書き換える書き換え手段と、
を備えたことを特徴とする表示制御装置。
【請求項２】
前記書き換え手段は、文字認識の結果として得られた文字データに対する文字画像の一致率が所定値未満である場合に、当該文字画像をそのまま表示させることを特徴とする請求項１に記載の表示制御装置。
【請求項３】
前記書き換え手段は、文字画像周辺に認識結果である文字データを表示することを特徴とする請求項２に記載の表示制御装置。
【請求項４】
デジタルテレビ放送を受信する受信工程と、
前記デジタルテレビ放送の映像を拡大する拡大処理工程と、
前記拡大された映像内に存在する文字画像について、文字認識を行なう文字認識工程と、
前記文字認識の認識結果に基づいて前記文字画像を書き換える書き換え工程と、
を含んだことを特徴とする表示制御方法。
【発明の詳細な説明】
【技術分野】
【０００１】
本発明は、デジタルテレビ放送を表示する表示制御装置および表示制御方法に関するものである。
【背景技術】
【０００２】
近年、テレビ放送のデジタル化が進んでおり、携帯電話端末などでの表示用に小サイズのディスプレイを想定したデジタル放送、いわゆるワンセグ放送が実施されている。
【０００３】
このワンセグ放送は、受信データ量が少なくてすむことからカーナビゲーションシステムなど、元々のワンセグ放送の想定よりも大きなディスプレイを有する装置に使用されることがある。
【０００４】
しかし、想定よりも大きなディスプレイに画像を拡大して表示すると、画像内の文字情報の視認性が低下するという問題点があり、かかる問題の解決が求められてきた。
【０００５】
文字情報を扱う技術としては、画像から文字を識別するＯＣＲ（たとえば特許文献１参照。）が知られている。また、デジタル放送に予め用意された文字用のプレーンを輪郭強調する技術（特許文献２参照。）や、車載装置でのテレビ受信を想定し、画面の表示内容を音声出力する技術（特許文献３参照。）が考えられている。
【０００６】
【特許文献１】特開２０００−１８２０５３号公報
【特許文献２】特開２００１−２９２３４１号公報
【特許文献３】特開２００６−３３７４１号公報
【発明の開示】
【発明が解決しようとする課題】
【０００７】
しかしながら、従来の技術では、ワンセグ放送を拡大表示した際に発生する文字の視認性低下を解決することはできない。たとえば、特許文献１が開示するような文字認識は、拡大表示によって形状のくずれやにじみが発生した文字を認識対象とすると、視認性の低下と同様に認識精度の低下が発生する。
【０００８】
また、映像内に存在する文字の認識には、文字プレーンを利用する特許文献２の技術は適用できず、そもそも利用者が画面を見ていないことを前提とする特許文献３では、画像内に存在する任意の文字情報の確認を補助することはできない。
【０００９】
そこで、ワンセグ放送を拡大表示した場合に、映像内の任意の文字画像について、その読み取りを補助することのできる技術が求められてきた。
【００１０】
本発明は、上述した従来技術における問題点を解消し、課題を解決するためになされたものであり、ワンセグ放送を拡大表示した場合に、映像内の任意の文字画像について、その読み取りを補助することのできる表示制御装置および表示制御方法を提供することを目的とする。
【課題を解決するための手段】
【００１１】
上述した問題を解決し、目的を達成するため、本発明にかかる表示制御装置および表示制御方法は、ワンセグテレビ放送の映像を拡大し、拡大された映像内に存在する文字画像について文字認識を行ない、認識結果に基づいて文字画像を書き換える。
【発明の効果】
【００１２】
本発明によれば表示制御装置および表示制御方法は、拡大によりぼやけやにじみの発生した文字画像を認識して書き換えるので、ワンセグ放送を拡大表示した場合に映像内の任意の文字画像について、その読み取りを補助することのできる表示制御装置および表示制御方法を得ることができるという効果を奏する。
【発明を実施するための最良の形態】
【００１３】
以下図面を参照して、本発明に係るワンセグ放送の表示制御装置および表示制御方法について説明する。
【００１４】
本発明に係る表示制御装置は、日本の地上デジタルテレビ放送に対応した表示装置である。地上デジタルテレビ放送では、１チャンネル分の帯域を１３個のセグメントに分割し、そのうちの１２セグメントを固定サービス（家庭用の一般向け）用とし、残りの１セグメントを携帯サービス（移動体受信端末）用に割り付けている。固定サービスではデータ圧縮方式としてＭＰＥＧ２方式を採用し、携帯サービスではデータ圧縮方式としてＨ．２６４方式（ＭＰＥＧ−４Ｐａｒｔ１０としても知られる映像圧縮方式の一つ）（又はＭＰＥＧ４方式）を採用している。固定サービス向けの符号化デジタルデータは、ＭＰＥＧ２方式で符号化されたものであって、高品質であるが、ビットレートが高いことからノイズ耐性が弱く、放送局からの距離が長くなると、良好な受信が困難となる場合がある。これに対して、携帯サービス向けの符号化デジタルデータ（いわゆるワンセグ放送）は、Ｈ．２６４方式（又はＭＰＥＧ４方式）で符号化されたものであって、ＭＰＥＧ２方式に比べるとビットレートが低いため、ノイズ耐性が強く、放送局からの距離がより長くなっても良好に受信することが可能となる。
【００１５】
そのため、カーナビゲーション装置のようにワンセグ放送の本来の想定よりも大きなディスプレイを有する装置であっても、ワンセグ放送を受信して拡大表示する利用法が考えられている。
【００１６】
しかし、想定よりも大きなディスプレイに画像を拡大して表示すると、画像内の文字がぼやけたり、にじんだりし、視認性が低下する。本発明は、このワンセグ放送の拡大表示における文字の読み取りを補助するものであり、実施例１として画像内の文字部分を受信装置側で書き換える基本構成について説明し、実施例２として文字の読み取り補助方法の応用例について説明する。
【実施例１】
【００１７】
図１は、本発明の実施例１であるワンセグ受信装置１の概要構成を説明する概要構成図である。同図に示したワンセグ受信装置１は、アンテナ１１、チューナ１２、復調部１３、ＤＥＭＵＸ１４、映像デコーダ１５、拡大処理部１６、表示用メモリ１７、表示部１８、画像認識部２０、文字辞書２４を有する。
【００１８】
ワンセグ放送受信装置１は、アンテナ１１の受信波をチューナ１２が選択し、選択した受信波に対して復調部１３がＯＦＤＭ復調を行なってＴＳパケットを取り出す。その後、ＤＥＭＵＸ１４によって音声データと映像データとを分離する。ここで分離した音声データは、デコードした後、映像の出力と同期して出力するが、本実施例では音声データに対する処理については説明を省略し、映像データに対する処理について説明を行なう。
【００１９】
映像デコーダ１５は、ＴＳパケットに含まれる映像データをデコードする処理を行なう。ここで、映像デコーダ１５が出力する映像データは、携帯端末のディスプレイを想定したワンセグ映像である。拡大処理部１６は、このワンセグ映像を表示部１８のディスプレイサイズに合わせて拡大し、表示用メモリ１７に格納する処理を行なう。
【００２０】
画像認識部２０は、表示用メモリ１７に格納された拡大ワンセグ映像内の文字画像に対して文字認識を実行し、認識結果を用いて表示用メモリを書き換えることで、表示部１８に視認性の高い文字を表示させる処理部である。
【００２１】
具体的には画像認識部２０は、その内部に認識対象領域設定部２１、文字認識部２２、表示書き換え部２３を有する。認識対象領域設定部２１は、拡大ワンセグ画像のうち、文字認識の対象となる領域を指定する処理部である。この認識対象領域の指定は、たとえばユーザ入力によって行なう。ユーザは、ワンセグテレビ放送の視聴中に、画面内に確認したい文字がある場合に、その画面を一時停止させ、停止した画像内から文字認識を行なう位置情報を入力する。
【００２２】
文字認識部２２は、指定された認識対象領域に存在する文字画像の各々について、文字辞書２４を参照してパターンマッチングを行なうことで文字認識を行なう。表示書き換え部２３は、この文字認識結果を用いて表示用メモリ１７を書き換える。
【００２３】
このワンセグ受信装置１による文字認識について図２を参照してさらに説明する。同図に示したように、ワンセグ受信装置１は、ワンセグ映像を拡大して拡大ワンセグ映像を作成する。この拡大ワンセグ映像内で文字認識対象領域が指定されると、指定された領域から文字画像の存在する領域（文字領域）を認識し、文字ごとにパターンマッチングを行なう。
【００２４】
このパターンマッチングでは、文字領域を部分文字領域に分割し、分割した各部分文字領域について特徴パターンを抽出する。そして、文字辞書２４に登録された登録文字データの部分領域の特徴パターンと比較し、部分文字領域の特徴パターンと配置が一致する文字の画像が文字領域に存在すると判定する。
【００２５】
同図に示した例では、文字列「ワンセグ放送受信中」が文字認識対象領域として指定されている。そして、一文字目の「ワ」を文字領域として認識して分割し、パターンマッチングを行なった結果、この文字領域は文字「ワ」に対して一致率９５％、文字「ク」に対して一致率８９％、文字「リ」に対して一致率６０％、文字「フ」に対して一致率５５％、文字「サ」に対して一致率５０％が得られている。そこで、一致率がもっとも高い「ワ」が文字領域に存在すると判定する。
【００２６】
この処理を文字列のすべての文字画像に対して実施し、得られた文字データ列「ワンセグ放送受信中」を文字認識対象領域に置き換えることで、出力映像では視認性の高い文字列を表示することができる。
【００２７】
つぎに図３を参照し、画像認識部２０の処理動作について説明する。同図に示したフローチャートは、ワンセグ放送の受信・出力中に、ユーザからの指示を受けて開始する処理動作である。
【００２８】
まず、認識対象領域設定部２１は、ユーザからの認識対象領域の指定を受け付ける（ステップＳ１０１）。文字認識部２２は、認識対象領域から最初の文字領域を認識し（ステップＳ１０２）、文字領域を分割して（ステップＳ１０３）、分割した部分領域内のパターンを探索する（ステップＳ１０４）。このパターンの探索が全ての部分領域について終了したならば（ステップＳ１０５，Ｙｅｓ）文字辞書と一致検索を行ない（ステップＳ１０６）、一致率が最大となる文字を選択する（ステップＳ１０７）。そして、表示書き換え部２３が選択した文字データで画像データを置き換える（ステップＳ１０８）。
【００２９】
その後、全ての文字領域に対して認識が終了したか否かを判定し（ステップＳ１０９）、認識が終了していない文字領域が存在する場合には次の文字領域を認識して（ステップＳ１１０）、ステップＳ１０３に移行して処理を繰り返し、全ての文字領域に対する認識が終了した場合に（ステップＳ１０９，Ｙｅｓ）、処理を終了する。
【００３０】
以上説明してきたように、本実施例１にかかるワンセグ受信装置１は、ワンセグ映像を拡大して表示する際に、認識対象領域設定部２１が設定した認識対象領域内に存在する文字画像に対してパターンマッチングを実行して文字認識し、認識結果として得られた文字データによって文字画像を書き換えるので、拡大ワンセグ映像の文字の視認性を向上することができる。
【実施例２】
【００３１】
上述した実施例１では、拡大ワンセグ映像内の文字部分を認識し、受信装置側で書き換える基本構成について説明したが、本実施例２では、文字の読み取り補助方法の応用例について説明する。
【００３２】
図４は、本発明の実施例２であるワンセグ受信装置２の概要構成を説明する概要構成図である。同図に示したワンセグ受信装置２は、アンテナ１１、チューナ１２、復調部１３、ＤＥＭＵＸ１４、映像デコーダ１５、拡大処理部１６、表示用メモリ１７、表示部１８、画像認識部３０、文字辞書２４、文字候補保管メモリ３２、描画メモリ３３を有する。
【００３３】
ここで、画像認識部３０、文字候補保管メモリ３２、描画メモリ３３以外の構成および動作については、実施例１で説明したワンセグ受信装置１と同様であるので、同一の構成要素には同一の符号を付して説明を省略する。
【００３４】
画像認識部３０は、その内部に認識対象領域設定部２１、文字認識部２２、表示書き換え部３１に加え、表示方法選択部３１を有している。表示方法選択部３１は、文字認識部２２による認識結果を評価し、表示書き換え部２３による文字画像の置き換えをおこなうか、文字画像周辺に認識結果を表示するかを選択する。
【００３５】
表示方法選択部３１は、具体的には文字認識部２２による文字認識の結果を文字候補保管メモリ３２に蓄積し、文字画像に対する文字候補の一致率、すなわち文字認識の結果における確実性に応じて処理内容を変更する。
【００３６】
例えば、文字画像に対する一致率が６０％以上の文字を文字候補として文字候補保管メモリ３２に蓄積しておき、最も高い一致率が９０％以上であれば、表示書き換え部２３にその文字データで文字画像を書き換えさせる。
【００３７】
また、最も高い一致率が９０％未満であれば、文字画像をそのまま残し、文字画像周辺に文字候補についての情報を表示する。この文字候補についての表示内容は、一旦描画メモリに３３に格納され、描画メモリから表示用メモリ１７に書き込むことで元の拡大ワンセグ映像に重ねて表示する。
【００３８】
この画像認識部３０による文字候補の表示制御について図５および図６を参照してさらに説明する。図２に示したように、画像認識部３０は、ワンセグ映像を拡大した拡大ワンセグ映像内で文字認識対象領域が指定されると、指定された領域から文字画像の存在する領域（文字領域）を認識し、文字ごとにパターンマッチングを行なう。
【００３９】
同図に示した例では、文字列「ワンセグ放送受信中」が文字認識対象領域として指定されている。そして、一文字目の「ワ」を文字領域として認識して分割し、パターンマッチングを行なった結果、この文字領域は文字「ク」に対して一致率８９％、文字「ワ」に対して一致率８６％、文字「リ」に対して一致率６０％、文字「フ」に対して一致率５５％、文字「サ」に対して一致率５０％が得られている。
【００４０】
このように、誤って「ク」の一致率が最も高く認識された場合に、単純に最大の一致率の文字候補を選択して文字画像を置き換えると、本来「ワンセグ放送受信中」と置き換えるべき文字画像が「クンセグ情報受信中」に置き換えられてしまう。
【００４１】
このように、誤った文字データで文字画像を置き換えてしまうと、元々のぼやけやにじみによる視認性低下よりも、利用者にとっては元の情報を把握することが難しくなる。
【００４２】
そこで、画像認識部３０は、最も高い一致率が９０％未満である場合には、図６に示したように文字画像をそのまま残し、文字画像周辺に文字候補についての情報を表示する。
【００４３】
図６に示した表示例Ｄ１は、文字認識結果の最大一致率が低い文字画像「ワ」をそのまま残し、「ンセグ方送受信中」については文字データで置き換えをおこなった場合の表示例を示している。このように、最大一致率が低い文字画像をそのまま残すだけでも利用者による文字の読み取りを補助することができる。
【００４４】
表示例Ｄ２は、文字認識結果の最大一致率が低い文字画像「ワ」の近傍に、文字候補（一致率が６０％を超える文字）を表示した例である。同様に、表示例Ｄ３では、画面右側に文字候補を表示する領域を設け、文字認識結果の最大一致率が低い文字列についてはこの領域に文字候補を表示するようにしている。このように、文字候補を複数表示させることで、各々の一致率が不十分であったとしても利用者自身が適切な文字候補を確認して読み取りをおこなうように補助することができる。
【００４５】
また、表示例Ｄ４に示したように、文字候補を元の文字画像に対して大きく表示することとしてもよい。元々、文字画像が小さいために読み取りが困難になっているので、文字候補を大きく表示することで利用者の視認性の更なる向上を図ることができる。
【００４６】
つぎに図７を参照し、画像認識部３０の処理動作について説明する。同図に示したフローチャートは、ワンセグ放送の受信・出力中に、ユーザからの指示を受けて開始する処理動作である。
【００４７】
まず、認識対象領域設定部２１は、ユーザからの認識対象領域の指定を受け付ける（ステップＳ２０１）。文字認識部２２は、認識対象領域から最初の文字領域を認識し（ステップＳ２０２）、文字領域を分割して（ステップＳ２０３）、分割した部分領域内のパターンを探索する（ステップＳ２０４）。このパターンの探索が全ての部分領域について終了したならば（ステップＳ２０５，Ｙｅｓ）文字辞書と一致検索を行なう（ステップＳ２０６）。
【００４８】
表示方法選択部３１は、一致率が第一閾値以上の文字を候補として文字候補保管メモリ３２に蓄積し（ステップＳ２０７）、文字候補の最大の一致率が第二閾値以上である場合（ステップＳ２０８，Ｙｅｓ）、表示書き換え部２３が一致率最大の文字データで画像データを置き換える（ステップＳ１０８）。また、文字候補の最大の一致率が第二閾値未満である場合（ステップＳ２０８，Ｎｏ）、文字候補を対象も自画像の近傍に表示する（ステップＳ２１０）。
【００４９】
その後、全ての文字領域に対して認識が終了したか否かを判定し（ステップＳ２１１）、認識が終了していない文字領域が存在する場合には次の文字領域を認識して（ステップＳ２１２）、ステップＳ２０３に移行して処理を繰り返し、全ての文字領域に対する認識が終了した場合に（ステップＳ２１１，Ｙｅｓ）、処理を終了する。
【００５０】
以上説明してきたように、本実施例２にかかるワンセグ受信装置２は、ワンセグ映像を拡大して表示する際に、認識対象領域設定部２１が設定した認識対象領域内に存在する文字画像に対して文字認識し、認識結果の確からしさに応じて認識結果の出力方法を変更する。
【００５１】
特に、認識結果の確からしさが低い（例えば文字辞書との一致率が低い）場合には、元もとの文字画像をそのまま残し、周辺に文字候補を表示することで、利用者が文字画像と文字候補の双方を確認できるようにすることで、文字情報の読み取りやすさを向上している。
【００５２】
なお、上述した実施例１および実施例２は、あくまで一例であって本発明を限定するものではない。本発明はその構成および動作を適宜変更して実施することができるものである。例えば、実施例２では、一致率の最大値と第一の閾値とを比較して文字画像の書き換えをおこなうか否かを判定していたが、文字候補のうち最も大きい一致率と２番目に大きい一致率との差を判定要素として用いるように構成してもよい。
【００５３】
さらに、文字候補の一致率に基づいて、段階的に表示態様を変化させるようにすることもできる。例えば、文字候補が複数存在する場合に、一致率の高さに応じて文字候補の表示サイズを異ならせて表示することで、どのような文字候補が存在し、どの文字候補の一致率が高いかを視認可能とすることができる。
【図面の簡単な説明】
【００５４】
【図１】本発明の実施例１であるワンセグ受信装置の概要構成を示す概要構成図である。
【図２】図１に示したワンセグ受信装置１の動作について説明する説明図である。
【図３】図１に示した画像認識部２０の処理動作について説明するフローチャートである。
【図４】本発明の実施例２であるワンセグ受信装置２の概要構成を示す概要構成図である。
【図５】図４に示したワンセグ受信装置２の動作について説明する説明図である。
【図６】文字候補の表示方法について説明する説明図である。
【図７】図４に示した画像認識部３０の処理動作について説明するフローチャートである。
【符号の説明】
【００５５】
１，２  ワンセグ受信装置
１１    アンテナ
１２    チューナ
１３    復調部
１４    ＤＥＭＵＸ
１５    映像デコーダ
１６    拡大処理部
１７    表示用メモリ
１８    表示部
２０，３０  画像認識部
２１    認識対象領域設定部
２２    文字認識部
２３    表示書き換え部
２４    文字辞書
３１    表示方法選択部
３２    文字候補保管メモリ
３３    描画メモリ
【図１】
2009211393.tif 000003
【図２】
2009211393.tif 000004
【図３】
2009211393.tif 000005
【図４】
2009211393.tif 000006
【図５】
2009211393.tif 000007
【図６】
2009211393.tif 000008
【図７】
2009211393.tif 000009